(57)【特許請求の範囲】
【請求項１】
現在時刻を計測するタイマ部と、各時刻の光出力を決定するための情報を記憶する記憶部と、調光可能な照明器具と、所定の時刻で照明器具の光出力が切替わる複数のモードを記憶部に設定する設定部と、設定部の設定内容を表示する表示部と、タイマ部で計測された現在時刻が記憶部に記憶された所定の時刻になると照明器具の調光信号を切り替える制御部と、照明器具に調光信号を出力する調光信号出力部とから構成され、ある特定の時刻以降にモードが重なると前のモードを優先する照明装置であって、前記ある特定の時刻とは２４：００のことであることを特徴とする照明装置。
【請求項２】
現在時刻を計測するタイマ部と、各時刻の光出力を決定するための情報を記憶する記憶部と、調光可能な照明器具と、所定の時刻で照明器具の光出力が切替わる複数のモードを記憶部に設定する設定部と、設定部の設定内容を表示する表示部と、タイマ部で計測された現在時刻が記憶部に記憶された所定の時刻になると照明器具の調光信号を切り替える制御部と、照明器具に調光信号を出力する調光信号出力部とから構成され、ある特定の時刻以前にモードが重なると後のモードを優先する照明装置であって、前記ある特定の時刻とは２４：００のことであることを特徴とする照明装置。
【請求項３】
請求項１または２において、ある特定時刻とは予め設定した曜日または日にちの２４：００であることを特徴とする照明装置。
【請求項４】
請求項１または２において、１日分の光出力の変化を規定するスケジュールは、複数のモードで構成され、各々のモードに優先順位を設けたことを特徴とする照明装置。
【請求項５】
請求項４において、スケジュールを曜日毎に割り当て可能としたことを特徴とする照明装置。
【請求項６】
請求項４において、スケジュールを日にち毎に割り当て可能としたことを特徴とする照明装置。
【請求項７】
請求項４において、モード動作中に光出力の設定値を変更することなく光出力を微調整可能としたことを特徴とする照明装置。
【請求項８】
請求項１〜６のいずれかにおいて、設定したスケジュールを実時間ではなく、予め定められた速度で確認可能としたことを特徴とする照明装置。
【請求項９】
請求項１〜６のいずれかにおいて、設定したスケジュールのモードの切替時刻を表示部で表示させて確認可能としたことを特徴とする照明装置。
【請求項１０】
請求項１または２において、モード動作を一時的に禁止可能としたことを特徴とする照明装置。
【請求項１１】
請求項１０において、曜日毎または日にち毎に設定したスケジュールで動作中に別のスケジュールを割り込ませる機能を備えたことを特徴とする照明装置。
【請求項１２】
請求項１０において、曜日毎または日にち毎に設定したスケジュールで動作中に予め設定された光出力値に強制的に切り替え可能としたことを特徴とする照明装置。
【請求項１３】
請求項１または２において、それぞれが同じ制御情報に基づいて稼動している複数の照明装置群において、ある照明装置が他の照明装置から、定期的あるいは非定期的に制御情報の値を得ることにより互いの制御情報を一致させることを特徴とする照明装置。
【請求項１４】
請求項１３において、制御情報とは、年月日あるいは時刻であることを特徴とする照明装置。
【請求項１５】
請求項１３において、制御情報とは、照明制御に関する設定値あるいは光出力値であることを特徴とする照明装置。
【請求項１６】
請求項１３において、制御情報とは、モードの切替タイミングに係る情報であることを特徴とする照明装置。
【請求項１７】
請求項１または２において、照明器具は、光出力以外の外部機器を付加されていることを特徴とする照明装置。
【請求項１８】
請求項１７において、外部機器は、照明器具と連動して動作を行なうことを特徴とする照明装置。
【請求項１９】
請求項１７において、外部機器は、照明器具の動作とは別に独立した動作を行なうことを特徴とする照明装置。
【請求項２０】
請求項１または２において、モードの移行を報知する手段を有することを特徴とする照明装置。
【請求項２１】
請求項１または２において、照明器具はランプの劣化や汚れによる光出力の低下を補正しながら負荷出力を制御する初期照度補正制御を行なうことを特徴とする照明装置。
【請求項２２】
請求項１〜２１のいずれかにおいて、照明器具は各々個別に制御できる複数の系統で構成されていることを特徴とする照明装置。
【請求項２３】
請求項２２において、系統毎に各モードの内容を設定可能としたことを特徴とする照明装置。
【請求項２４】
請求項１において、照明器具に同一系統内で動作している光出力の設定値とは異なる値を出力可能な設定機能を有することを特徴とする照明装置。
【請求項２５】
請求項２４において、光出力の設定値とは異なる値を設定するスイッチを設けたことを特徴とする照明装置。
【請求項２６】
請求項２４において、光出力の設定値とは異なる値を設定するリモコンを設けたことを特徴とする照明装置。
【発明の詳細な説明】
【０００１】
【発明の属する技術分野】
本発明は、タイムスケジュール機能を持つ照明装置に関するものであり、時刻によってランプの光出力を変化させる店舗、事務所、２４時間営業店舗、深夜営業店舗などに設置されるものである。
【０００２】
【従来の技術】
従来、タイムスケジュール機能を持つ照明装置が広く用いられているが、その多くは、設定が複雑であり、設定した内容を容易に変更することができないものが多い。タイムスケジュール機能を持つ照明装置の従来例として、例えば、出退時間、昼休みの自動点滅、営業時間帯、準備時間帯に合わせてパターン制御を行なう照明制御システムが商品化されている（当社Ｈｆコントロールシステム  品番：ＮＨＦ４２０００他）。また、特願平１１−３２８３３５号（対象商品  コンビニセルコン  品番：ＦＨＫ９１０５０）は、周囲の条件によって、自動的に予め設定された所定時刻（モード開始時刻もしくはモード終了時刻）を前後（進み時間／遅れ時間）させることで、必要な時のみに明りを得られるので、店舗であれば、集客効果の向上、省エネとなる照明システムを提供することができる。
【０００３】
【発明が解決しようとする課題】
昨今、２４時間営業の店舗、深夜営業の店舗等、営業時間が長い店舗が多く点在してきており、そのような店舗において、省エネの意識も高まっている。省エネという観点では、タイムスケジュール機能、調光出力機能を設け、例えば準備時間の間は調光点灯を行なう（営業時間モードの光出力値＞準備時間モードの光出力値）といったパターン制御が普及している。当社の上記Ｈｆコントロールシステムでは、営業時間帯、準備時間帯に合わせてパターン制御を行なっている。また、上述の特願平１１−３２８３３５号では、設定した時間帯の開始、終了時刻を周囲状況に合わせて調整している。
【０００４】
店舗では、集客効果のためにも状況に応じたパターン制御を行ないたいものである。しかしながら、上記に示すコントロールシステムは、毎日同じパターン制御を行なうものであり、特別な日（改装オープン、バーゲン、特売等）に応じたパターン制御を行なうことができない。また、当社の上記Ｈｆコントロールシステムで設定している１日の単位は００：００〜２４：００であり、このため、昨今増加している深夜営業店舗でスケジュールの設定を行なう場合、例えば営業時間が１６：００〜２：００であれば、００：００〜２：００、１６：００〜２４：００といったように営業時間を２つに分けて設定する必要があり、設定が煩雑になりやすい。
【０００５】
そこで、本発明では、上記のような不具合を解決し、簡単な設定方法で、状況に応じたパターン制御を行なうことが可能な照明装置を提供することを目的とする。
【０００６】
【課題を解決するための手段】
本発明の照明装置では、１日を複数のモードで構成する。個々のモードは、開始時刻と終了時刻、その間の出力値、切替時のフェードの有無などの情報で構成される。複数のモードで構成される１日の制御内容をスケジュールと呼ぶ。このスケジュールを複数個作成する。例えば、通常スケジュール、バーゲン用スケジュール、休日前スケジュールなどである。これを曜日に割り当てて、週間スケジュールを作成する。例えば、月曜は通常スケジュール、火曜はバーゲン用スケジュール、水曜は休日前スケジュール、木曜は休日用スケジュール、…のように曜日ごとにスケジュールを割り当てることで、状況に応じたパターン制御が可能となる。また、突然タイムバーゲンを開催することになったとか、定休日が無くなり営業することになった場合でも、週間スケジュールを一時的に禁止させることができるようにして、スケジュールや予め設定した出力値（例えば、全系統１００％点灯）を動作中のスケジュールに割り込ませることができるようにする。
【０００７】
また、１日の単位は次のように決める。まず、１日の開始時刻は０：００もしくは設定した複数のモードの開始時刻のうち一番早い開始時刻（０：００以前）とする。また、１日の終了時刻は２４：００もしくは設定した複数のモードの終了時刻のうち一番遅い終了時刻（２４：００以降）とする。モードが設定されていない時間帯は、時間外モードとして位置付ける。１日を構成する複数のモードには予め優先順位を決めておき、モードが重なった時に優先的に動作させるモードを設定しておく。例えば、時間外モード＜モード１＜モード２＜…というように優先順位を設定しておく。
【０００８】
また、前日（００：００以前）、翌日（２４：００以降）に重なった時間の動作モードは、予めどちらのモードを優先させるかを設定しておく。例えば、開始時刻が００：００以前に設定された場合は、そのモードを優先させるとか、終了時刻が２４：００以降に設定された場合は、そのモードを優先させるとか、水曜から木曜ヘの移行時は、水曜のスケジュール（モード）を優先させるとか、Ａ日からＢ日への移行時は、Ｂ日のスケジュール（モード）を優先させる、といったように、日にちをまたぐ（曜日が変わる）時の優先する動作モード（スケジュール）を予め設定しておくことで、状況に応じた自由度の高いスケジュール制御、パターン制御が可能となる。
【０００９】
【発明の実施の形態】
（実施形態１）
図１に本発明の実施形態１の構成を示す。この照明装置は、コントローラ部１と照明器具２から構成される。コントローラ部１は、制御部１０、記憶部１１、タイマ部１２、電源部１３、表示部１４、設定部１５、調光信号出力部１６から構成される。照明器具２は、ランプ２１と点灯装置２２から構成される。
【００１０】
以下、各部の構成について詳しく説明する。まず、制御部１０は、マイクロコンピュータ（以下マイコンと呼ぶ）及びマイコンを動作させる周辺素子から構成され、電源部１３より供給される電力で動作するものである。制御部１０は、記憶部１１、タイマ部１２、設定部１５から情報を受け取り、ＰＷＭ出力を算出し、調光信号出力部１６にその値を出力する。また、表示部１４のＬＣＤ（液晶ディスプレイ）に必要な情報を表示する。
【００１１】
記憶部１１は、ＲＡＭもしくはＥＥＰＲＯＭなどとその周辺素子から構成され、停電時には、各設定値、点灯時間の記憶を行ない、電源復帰時に読み込みを行なうように構成される。
【００１２】
タイマ部１２は、例えば、２つのタイマから構成される。一つは、現時刻をカウントできる時計（リアルタイムクロックを用いてもよい）であり、これをタイマ１とする。もう一つは、電源を投入してからの点灯時間をカウントできるもの、例えば、カウンタであり、これをタイマ２とする。タイマ１では、設定部１５で設定された調光制御を行なう時間帯の開始／終了時に信号を制御部１０に出力するものとする。タイマ２では、例えば１時間ごとに制御部１０と表示部１４へ逐一点灯時間情報を出力する。
【００１３】
電源部１３は商用電源（Ａ．Ｃ．）に接続されて、コントローラ部１の動作電源を作成する。例えば、マイコンの駆動電圧が５Ｖであれば、電源部１３で５Ｖ電源を作成した後に、制御部１０に入力する。
【００１４】
表示部１４は、例えば、ＬＣＤおよび周辺素子で構成される。各設定は、このＬＣＤに表示される質問に応じながら、各系統の光出力値、モードの開始時刻、終了時刻、フェードの有無等の設定を行なう。設定以外にも日にちや時刻を常時表示しておいてもよいし、点灯時間の累積表示（タイマ部１２のタイマ２からの情報に従い、例えば１時間ごとに表示を更新）を行なってもよいし、現在の動作モード名、スケジュール名、各系統の光出力値を表示していてもよい。
【００１５】
設定部１５は、例えば、ライトスイッチ、ロータリーディップスイッチ等で構成される。スイッチの内容は、モードスイッチ、ＵＰスイッチ、ＤＯＷＮスイッチ、変更／設定スイッチ等であり、現在時刻、所定時刻、出力値、各系統のランプ種類等が設定できる。（ＵＰ／ＤＯＷＮスイッチで各設定項目を選択したり、値の設定を行ない、変更／設定スイッチを押下することにより、値が記憶される。設定した情報は、記憶部１１で保存する。）
【００１６】
調光信号出力部１６は、制御部１０より照明装置の調光レべルを制御するＰＷＭ出力を受け取り、１系統以上出力するものであってもよいし、電力制御により調光を行なってもよい。
【００１７】
照明器具２は、１台もしくは複数台設置され、各々前記調光信号出力部１６に接続され、調光制御可能なものであり、連続点灯が行なえる、点灯装置２２と高周波専用ランプ２１からなる。
【００１８】
ＰＷＭ出力値の設定で調光制御を行なう例を以下に示す。上記制御部１０では、設定部１５、タイマ部１２からの情報に基づきＰＷＭ出力値の設定を行なう。制御部１０は、予め時間の経過に伴うランプ２１の発光量の低下及びランプ２１の汚れによる光束低下を補正するデータテーブル（以後、初期照度補正データテーブル）を各ランプ種類（インバータ）毎に所有する。上記タイマ部１２の点灯時間から初期照度補正による出力値を決定し、次に設定部１５からの情報に基づき設定された調光比（＝光出力値）と掛け合わせる。
光出力値×初期照度補正出力値
上記の算出値が調光制御信号の出力値（％）である。ここで算出された調光制御信号の出力値とＰＷＭ信号の対応データテーブルよりＰＷＭ出力を決定し、その値が調光信号出力部１６に入力される。
【００１９】
点灯時間によって、初期照度補正データテーブルより出力値が変化するので、逐次初期照度補正データテーブルを読み込み、調光制御信号の出力値は算出されるものとする。
【００２０】
この照明装置は、例えば、中規模店舗に設置される。図２および図３に示すように、照明器具２は複数の系統で制御される。図示された例では、系統１は陳列棚であり、光出力値は８０％、系統２は食品売り場であり、光出力値は６０％、系統３はカウンターであり、光出力値は７０％となっているが、例示された以外の系統が設定されていても良いことは言うまでも無い。
【００２１】
また、各系統には異なる負荷が接続されてもよい。異なる負荷を接続する場合、負荷の情報（ランプ種類、ランプ交換時間など）の設定が必要である。本照明装置１台を店舗で使用する場合、ディスプレイ用と一般のエリア、特設売り場等で負荷は異なるものとなるであろう。よって、各系統毎に異なる負荷が接続できることで、利便性が高まる。
【００２２】
週間スケジュールの設定方法は、以下の通りである。
▲１▼１日に動作させるモードの内容（光出力値、開始時刻、終了時刻、フェードの有無など）を設定する。以下、これをスケジュールと呼ぶ。一例としてスケジュール１のタイムチャートを図４に示す。
▲２▼スケジュールを複数個設定する。表１に複数のスケジュールの設定例を示す。
▲３▼上記▲１▼で設定したスケジュールを曜日毎に割り当てる。表２に曜日毎のスケジュールの割り当て例を示す。
【００２３】
【表１】
0004644952.tif 000002
【表２】
0004644952.tif 000003
【００２４】
このように、特売日、休日前、通常スケジュール等を設計し、曜日に割り当てることで、週間スケジュールが容易に設定できるので使い勝手がよい。上記は、週間スケジュールとしているが、月間スケジュールでもよいし、年間スケジュールでもよいとする。
【００２５】
１日の開始時刻とは０：００もしくは設定したモードの開始時刻が一番早い時刻（０：００以前）であり、１日の終了時刻とは２４：００もしくは設定したモードの終了時刻が一番遅い時刻（２４：００以降）である。例えば、表３のように、モード１〜３が設定された場合、１日の単位は図５に示すようになる。
【００２６】
【表３】
0004644952.tif 000004
この例では、モード１の開始時刻が０：００以前であるので、１日の単位は前日の２３：００から始まる。また、モード３の終了時刻が２４：００以降であるので、１日の単位は翌日の２：００で終わる。
【００２７】
また、各モードには優先順位を設け、準備時間モード＜営業時間モード＜定刻時間モード１＜定刻時間モード２＜…＜定刻時間モードｎとする。上記のように設定しておくと、時間を重ねて設定した場合にモードの移行が明確となる。営業時間モード、定刻時間モード（モード数ｎは予め設定しておく）で設定した以外の時間帯を準備時間モード（時間外モード）とする。例えば、表４のように、営業時間モード、定刻時間モード１、定刻時間モード２を設定すると、１日の単位は図６のようになり、設定されていない時間帯は準備時間モード（時間外モード）として割り当てられる。
【００２８】
【表４】
0004644952.tif 000005
また、２４：００以降のモードは、予め前日のモード（スケジュール）を優先と設定しておく。例えば、表５のようにスケジュール１、２、３の開始時刻と終了時刻が設定されている場合において、表２のように、各曜日ＭＯＮ、ＴＵＥ、ＷＥＤにスケジュール１、２、３を割り当てた場合、図７のように、前日のスケジュールが完了した時点で当日のスケジュールを動作させる。この例では、前日のスケジュール２の動作を優先させて、スケジュール２の動作を完了後、スケジュール３の動作を開始させる。
【００２９】
【表５】
0004644952.tif 000006
例えば、火曜日のスケジュール２では、営業時間モードが１６：００〜３０：００と設定されており、水曜日のスケジュール３では、定刻時間モード１が００：００〜１２：００と設定している場合、各モードの優先順位で動作モードを決定すると、２４：００（ＴＵＥ→ＷＥＤ）の時点で定刻時間モード１が選択されることになるが、２４：００の時点では、前のモードを優先すると設定しておけば、２４：００（ＴＵＥ→ＷＥＤ）の時点で営業時間モードが継続することになる。
【００３０】
上記に示すような優先順位を予め設定しておくことで、営業時間が１６：００から２：００であっても分割して設定する必要はなく、営業開始時刻１６：００から閉店時刻２：００（２６：００）までと設定でき、営業時間を優先的に動作させることができる。
【００３１】
また、Ａ曜日からＢ曜日に移行する時はＡ曜日のモード（スケジュール）を優先させる、あるいは、Ａ日からＢ日に移行する時は、Ａ日のモード（スケジュール）を優先させる、というように設定してもよい。
【００３２】
モードが切り替わることで変化するものは、ここでは、照明の光出力としているが、照明以外の外部機器であってもよい。例えば、リレーのＯＮ／ＯＦＦにより、看板灯や水銀灯を動作させるものであってもよい。この外部機器は、照明器具と連動したスケジュールで動作してもよいし、外部機器用のスケジュールで動作してもよい。また、スケジュール動作だけでなく、マニュアルスイッチにてＯＮ／ＯＦＦできるものであってもよい。
【００３３】
モードが移行した時点でＬＥＤの点灯色を変えたり、点滅させたり、また、表示部１４のＬＣＤ等を利用して、図８に示すように、現在動作しているモード名、スケジュール名を表示して報知を行なう。モードの切替時刻を表示部１４で表示できるようにしても良い。負荷の累積点灯時間によってＬＥＤの点灯の色を変えるなどして、ランプ交換のお知らせを行なってもよい。
【００３４】
また、時刻によって状態が変化するモードを持つようなシステムでは、実時間で検査を行なうと、かなり時間がかかるので、１日を例えば１０分に短縮できるテストモードを設けておくとよい。このようなテストモードを有しておれば、検査／確認の時間が短縮できて便利である。
【００３５】
（実施形態２）
図９は実施形態２の説明図である。上述の実施形態１では、前日のモード（スケジュール）を優先させるとしていたが、ここでは、翌日のモード（スケジュール）を優先させることとする。例えば、表６のようにスケジュール１、２、３の開始時刻と終了時刻が設定されている場合において、表２のように、各曜日ＭＯＮ、ＴＵＥ、ＷＥＤにスケジュール１、２、３を割り当てた場合、図９のように、当日のスケジュールよりも翌日のスケジュールの方を優先させる。この例では、月曜の２２：００になると当日のスケジュール１の動作を中断し、翌日のスケジュール２の動作を開始させることにより、翌日のスケジュール２の動作の方を優先させる。また、火曜の２３：００になると当日のスケジュール２の動作を中断し、翌日のスケジュール３の動作を開始させることにより、翌日のスケジュール３の動作の方を優先させる。
【００３６】
【表６】
0004644952.tif 000007
例えば、あるモードを２３：５４〜６：００で動作させたい時、２３：５４〜２４：００、００：００〜６：００と分割して設定する必要がなくなり、２３：５４（−００：０６）〜６：００と設定することで、翌日のスケジュールを優先することができる。本実施形態は、翌日のスケジュールを優先させるようなイべント等の特別の日に用いると便利である。上記のような設定であれば、イベント当日のスケジュールを把握しやすい。また、前日のスケジュールが当日の何時まで割り込んでくるのかを考慮せずに１日のスタートを設定できるので、使い勝手がよい。
【００３７】
（実施形態３）
上述の実施形態１では、複数のモードには優先順位を設定するとしていたが、ここでは、その優先順位をある設定時刻に限り変更できることとする。例えば、ある設定時刻を１２：００〜１３：００と設定する。表７のように、就業時間モードを９：００〜１７：００、モード１を１７：００〜２０：００と設定し、優先順位を、準備時間モード＜就業時間モード＜モード１と設定すると、優先順位を変更する時刻を設定していない場合には、図１０に示すように、００：００〜９：００は準備時間モード、９：００〜１７：００は就業時間モード、１７：００〜２０：００はモード１、２０：００〜２４：００は準備時間モードと動作するが、優先順位を変更する時刻を設定した場合には、図１１に示すように、設定時刻１２：００〜１３：００の間は優先順位が反転し、準備時間モード（時間外モード）となる。
【００３８】
【表７】
0004644952.tif 000008
本実施形態は、事務所において休み時間は準備時間と同じパターン制御としたい場合に有効である。本来ならば、新たに休み時間モードを設け、複数系統の出力値の設定を行なわなければならないが、上記のような設定時刻を設けることで、準備時間シーンを優先させることができるので、設定作業を簡略化できる。
【００３９】
実施形態１では、同じ出力値で動作させるモードを分割して設定するのはモード数が増えて手間がかかり、設定する系統が増えれば尚更である。そこで、動作させるモードをいつ優先させるかを設定できれば、同じ内容を設定する手間が省ける。また、予め固定している優先順位を変更することができるので、動作モード（スケジュール）の自由度が高まる。
【００４０】
（実施形態４）
図１２により実施形態４の動作を説明する。上述の実施形態１〜３では、予め設定した週間スケジュール（もしくは、月間、年間スケジュール）に従って動作していたが、ここでは、スケジュールを一時的に停止させることができるスイッチを有する構成とする。例えば、突然のイべントや緊急な報知が必要な時、動作しているスケジュール制御（例えば、通常スケジュール）に予め設定しているスケジュール（イべント用スケジュール）を割り込ませて動作させてもよいし、予め設定している光出力値（例えば、強制１００％点灯）を割り込ませてもよい。
【００４１】
割り込んだスケジュールの解除は、再度スイッチ入力する方法でもよいし、割り込んだスケジュール動作が完了した時点で自動的に本来のスケジュール動作に移行するものであってもよい。また、光出力値を割り込ませた時の解除は、再度スイッチ入力する方法でもよいし、予め設定しているスケジュール（通常スケジュール）の動作が完了する時刻に自動的に解除するものであってもよい。
上記のような割り込みの出来る機能があると、適切な制御が可能となるので、更に状況に応じたパターン制御を行なうことができる。
【００４２】
（実施形態５）
ここでは、動作しているモードの光出力値を一時的に変更することができることとする。例えば、天候が悪く暗いと感じた時、４つの系統で動作中で設定している値をＵＰスイッチの入力で全体的に増加させる。例えば、動作中は、系統１：７０％、系統２：６０％、系統３：６５％、系統４：７０％であるものを、全体的に＋１０％ＵＰさせて、変更後には、系統１：８０％、系統２：７０％、系統３：７５％、系統４：８０％とする。各系統毎に光出力値をＵＰ／ＤＯＷＮできるようにしてもよいが、照明全体のバランスを崩したくない場合は、全ての系統の出力値を同時に変更した方がよい。
【００４３】
変更した値は、光出力値を変更したモードのみ有効としてもよいし、その日のスケジュールが完了するまでＵＰ／ＤＯＷＮした値を加算、減算してもよいこととする。パターン制御の内容（特に光出力値）は、施行時に設定されることが多い。そのため、その時の店内の状態、事務所の状態で値は設定される。例えば、天候が悪い、季節によって屋内の明るさ状況が変わるといったような場合でも基本の設定値は変更せずに割り込み操作でその日だけの適切な制御を行なうことができる。
【００４４】
（実施形態６）
上述の実施形態１〜５では、あるエリアに１台の照明装置が設置された場合を想定していたが、ここでは、図１３、図１４に示すように、複数台の照明装置が設置された場合について説明する。図１３は照明装置ａのコントローラ部１ａと照明装置ｂのコントローラ部１ｂが送り配線で接続されている様子を示している。特に図示しないが、照明装置ｃのコントローラ部１ｃも照明装置ｂのコントローラ部１ｂの後段に送り配線で接続されるものとする。図１４は照明装置ｂの系統１、２、３で特設売り場１、２、３の光出力値をそれぞれ１００％、９５％、８５％となるように制御し、照明装置ａの系統１、２で陳列棚、特設売り場４の光出力値をそれぞれ８０％、９０％となるように制御し、照明装置ｃの系統１、２で食品売り場、カウンターの光出力値をそれぞれ６０％、７０％となるように制御し、各装置ａ、ｂ、ｃの間で相互に情報のやり取りが行なわれている様子を示している。
【００４５】
ある１台の照明装置から情報を出力し、他の照明装置はその情報を受信する。例えば、その情報は時刻の情報であるとする。信号の出力は、１日に一度であってもよいし、定期的あるいは非定期的に出力してもよい。同エリアに存在する照明装置の時刻情報を一致させることが目的である。出力方法は、有線であっても無線であってもよい。無線の場合、送受信可能なモジュールを追加した構成とし、信号を送信した後、受信した照明装置から返信があるとよい。
【００４６】
出力する情報は、年月日であってもよいし、モードの切替タイミングであってもよい。また、照明制御に関する情報、例えば、照明器具の種類、ランプ交換時間、光出力設定値であってもよい。このような情報を出力することができれば、同じ照明器具を使用する場合、複数台の照明装置の設定を行なわなくてよい。
【００４７】
また、現在の動作中の出力状態の情報であってもよい。ある照明装置で、緊急報知のため強制的に出力値が変更されたり、スケジュール動作を変更して別のスケジュール動作を行なったときに、他の照明装置を個別に設定するのではなく、照明装置から情報を出力することで、同じエリアの照明装置の動作状態が略同時に変更できる。
【００４８】
１台の照明装置では、負荷の最大制御台数が設計で決められているので、それ以上の負荷を制御させるようなエリアやエリアを複数の系統で分割したい場合は、本照明装置を複数台設置する構成で制御することになる。そうした場合、各照明装置毎で時間がずれていると、特にフェード無しで光出力値が切り替わるモードの移行があった場合、大変見苦しいものになる。よって、上記のような方法で、時間を一致させておく必要がある。
【００４９】
また、同じエリアで使用される照明装置でかつ同じ設定内容で動作させる場合、モードの内容が転送できるものであると設定の手間が省けて、利便性が向上する。たとえば、図１５の例では、図１４のように、照明装置ｂの系統１、２、３で特設売り場１、２、３の光出力値をそれぞれ１００％、９５％、８５％となるように制御し、照明装置ａの系統１、２で陳列棚、特設売り場４の光出力値をそれぞれ８０％、９０％となるように制御し、照明装置ｃの系統１、２で食品売り場、カウンターの光出力値をそれぞれ６０％、７０％となるように制御している状態において、装置ｂに対して、強制点灯（全系統１００％点灯）の割り込み入力があったときに、装置ａ、ｃにも強制点灯（全系統１００％点灯）の指示が送信されて、装置ａの系統１、２、装置ｃの系統１、２も１００％点灯に移行する動作を示している。
【００５０】
（実施形態７）
上述の実施形態１〜６では、系統でモードの内容を設定していたが、ここでは、図１６のように、系統の中のある一部の照明器具のみ設定している光出力値とは異なる光設定値で動作することとする。照明器具には、図１７のように、予め値の設定できるスイッチを設ける。そのスイッチは、基準値に対してＵＰ／ＤＯＷＮした値を設定できるものである。例えば、系統１の中の特定の器具の設定スイッチを用いて『＋１０％』に設定する。系統１の光出力値が、準備時間では４０％、営業時間では７０％、モード１では５０％であった場合、上記特定の器具だけが、準備時間では５０％、営業時間では８０％、モード１では６０％といった光出力値で動作することが可能であるので、特定の器具で照射されるエリアを目立たせることができる。
【００５１】
上記の設定を器具に受信モジュールを追加してリモコンで設定できるようにしてもよい。また、営業時間モードのみ有効とするなど、時間帯（モード）を限定する設定をしてもよい。施行時とは異なる売り場配置になった場合、系統を変更するのは困難であるが、上記のように器具側で出力値の変更が容易にできると使い勝手がよい。
【００５２】
また、店舗において特設エリアや移動の多い売り場が存在する場合、このようなエリアは他のエリアより目立たせたいエリアである。しかし、そのエリアは、他のエリアに比べて狭いエリアなので、１系統割り当てるほどでもない。そこで、上記のような方法を用いれば、そのエリアに対して系統を設けることもなく、周囲の器具とは異なる光出力値を容易に得ることができるので、照射エリアを目立たせることができ、集客効果が得られる。
【００５３】
【発明の効果】
本発明によれば、所定の時刻で照明器具の光出力が切替わる複数のモードを設定可能なタイムスケジュール機能を持つ照明装置において、ある特定の時刻以降にモードが重なると前のモードを優先する、あるいは、ある特定の時刻以前にモードが重なると後のモードを優先するようにしたものであるから、設定が簡単であり、また、設定した内容を容易に変更して、状況に応じたパターン制御が行なえるので、例えば店舗等において、その日、その季節、その時代にあった照明制御が可能となる。
【図面の簡単な説明】
【図１】本発明の実施形態１のブロック回路図である。
【図２】本発明の実施形態１の複数の系統への配線状況を例示する説明図である。
【図３】本発明の実施形態１の系統の設定例を示す説明図である。
【図４】本発明の実施形態１の通常スケジュールの一例を示す説明図である。
【図５】本発明の実施形態１の１日の単位の設定例を示す説明図である。
【図６】本発明の実施形態１の１日の単位の他の設定例を示す説明図である。
【図７】本発明の実施形態１によるスケジュールの優先動作の説明図である。
【図８】本発明の実施形態１の表示部の動作説明図である。
【図９】本発明の実施形態２によるスケジュールの優先動作の説明図である。
【図１０】本発明の実施形態３による優先順位の変更時刻の設定が無い場合の動作説明図である。
【図１１】本発明の実施形態３による優先順位の変更時刻の設定が有る場合の動作説明図である。
【図１２】本発明の実施形態４によるスケジュールの割り込み動作の説明図である。
【図１３】本発明の実施形態５による装置間の情報伝送のための構成を示すブロック回路図である。
【図１４】本発明の実施形態５による装置間の情報伝送の様子を示す説明図である。
【図１５】本発明の実施形態５による装置間の情報伝送による一括制御の動作説明図である。
【図１６】本発明の実施形態６の照明エリアの説明図である。
【図１７】本発明の実施形態６の設定スイッチの一例を示す正面図である。
【符号の説明】
１    コントローラ部
１０  制御部
１１  記憶部
１２  タイマ部
１３  電源部
１４  表示部
１５  設定部
１６  調光信号出力部
２    照明器具
２１  ランプ
２２  点灯装置
【図１】
0004644952.tif 000009
【図２】
0004644952.tif 000010
【図３】
0004644952.tif 000011
【図４】
0004644952.tif 000012
【図５】
0004644952.tif 000013
【図６】
0004644952.tif 000014
【図７】
0004644952.tif 000015
【図８】
0004644952.tif 000016
【図９】
0004644952.tif 000017
【図１０】
0004644952.tif 000018
【図１１】
0004644952.tif 000019
【図１２】
0004644952.tif 000020
【図１３】
0004644952.tif 000021
【図１４】
0004644952.tif 000022
【図１５】
0004644952.tif 000023
【図１６】
0004644952.tif 000024
【図１７】
0004644952.tif 000025